(57)【要約】【課題】抜け止め部材の装着が簡単であるとともに、制動部材の安定した保持を実現する。【解決手段】リール本体１に前後動可能に支持されたスプール軸９に取り付けられ、ドラグ機構をなす制動部材１０が収容される円筒部３５を有するスプール３と、スプール軸９の先端に螺合され、螺合による締め付け力により制動部材１０に当接して当該制動部材１０の摩擦結合力を調整可能とするドラグ調節体２０と、を備え、円筒部３５の内面に係止され、制動部材１０を抜け止め保持する抜け止め部材を備え、抜け止め部材は、無端状かつ板状の環状部１６と、環状部１６の外周縁から円筒部３５の内面に向けて突出し、内面に係止される複数の係止片１７と、を備えてなること構成とした。【選択図】図１
2014198022.tif 000002
【特許請求の範囲】
【請求項１】
リール本体に前後動可能に支持されたスプール軸に取り付けられ、ドラグ機構をなす制動部材が収容される円筒部を有するスプールと、前記スプール軸の先端に螺合され、螺合による締め付け力により前記制動部材に当接して当該制動部材の摩擦結合力を調整可能とするドラグ調節体と、を備えた魚釣用スピニングリールにおいて、
前記円筒部の内面に係止され、前記制動部材を抜け止め保持する抜け止め部材を備え、
前記抜け止め部材は、無端状かつ板状の環状部と、前記環状部の外周縁から前記円筒部の内面に向けて突出し、前記内面に係止される複数の係止片と、を備えてなることを特徴とする魚釣用スピニングリール。
【請求項２】
前記円筒部は、前記ドラグ調節体が配置される大径円筒部と、前記制動部材が収容され前記大径円筒部より小径の小径円筒部と、前記大径円筒部と前記小径円筒部との間に設けられる段差部と、を備え、
前記環状部は、前記小径円筒部の内径より小径とされた内径を有しており、
前記抜け止め部材は、
前記大径円筒部を通じて押し込まれ、前記段差部に前記環状部が当接された状態で前記内面に前記複数の係止片が係止されることを特徴とする請求項１に記載の魚釣用スピニングリール。
【請求項３】
前記大径円筒部の内面は、開口側ほど拡径するテーパ面とされており、
前記複数の係止片は、前記環状部に対して前記大径円筒部の開口側に傾斜していることを特徴とする請求項２に記載の魚釣用スピニングリール。
【請求項４】
前記段差部に前記環状部が当接された状態で、前記環状部と前記小径円筒部に収容された前記制動部材との間には、隙間が形成されていることを特徴とする請求項３に記載の魚釣用スピニングリール。
【発明の詳細な説明】
【技術分野】
【０００１】
本発明は、魚釣用スピニングリールに関するものである。
【背景技術】
【０００２】
一般的に、魚釣用スピニングリールは、リール本体にスプールを支持し、リール本体の一側に回転可能に支持したハンドルを通じてリール本体内の巻き取り駆動機構を駆動することにより、スプールに釣糸を巻回保持する構成とされている。
【０００３】
駆動機構の一部をなすスプール軸には、スプールとドラグ機構をなす制動部材が嵌合されており、スプール軸の先端に螺合されたドラグ制動調節用のドラグ調節体で制動部材の締め付け調整を行うことによって、ドラグ制動力が調整されるように構成されている。
【０００４】
従来、制動部材は、スプールに設けられた円筒状の収容部に収容されている。収容部の開口部の内壁面には、内周溝が形成されており、この内周溝には、制動部材の抜け止め部材としてスナップリングが嵌め込まれていた。スナップリングは、線材を折曲げ加工することにより形成されている（例えば、特許文献１参照）。
【０００５】
また、スナップリングの代わりに、Ｃ字状の止め輪を装着したものも知られている（例えば、特許文献２参照）。
【先行技術文献】
【特許文献】
【０００６】
【特許文献１】実開平１−８７６６８号公報
【特許文献２】特開平１０−１５０８９１号公報
【発明の概要】
【発明が解決しようとする課題】
【０００７】
特許文献１では、スナップリングが嵌め込まれる内周溝を収容部の内壁面に形成する必要があり、加工が煩雑であるとともに、内周溝への線材の装着に手間がかかるという課題があった。
この点、特許文献２では、Ｃ字状の止め輪が用いられているので、スナップリングに比べて装着が行い易い。しかしながら、特許文献２の止め輪は、形状がＣ字状であるため、周方向に切れ目が形成されてしまい、制動部材を保持することのできない部分が存在していた。
【０００８】
本発明は、前記課題を解決するためになされたものであり、抜け止め部材の装着が簡単であるとともに、制動部材の安定した保持を実現することができる魚釣用スピニングリールを提供することを目的とする。
【課題を解決するための手段】
【０００９】
前記目的を達成するために本発明の魚釣用スピニングリールは、リール本体に前後動可能に支持されたスプール軸に取り付けられ、ドラグ機構をなす制動部材が収容される円筒部を有するスプールと、前記スプール軸の先端に螺合され、螺合による締め付け力により前記制動部材に当接して当該制動部材の摩擦結合力を調整可能とするドラグ調節体と、を備えた魚釣用スピニングリールにおいて、前記円筒部の内面に係止され、前記制動部材を抜け止め保持する抜け止め部材を備え、前記抜け止め部材は、無端状かつ板状の環状部と、前記環状部の外周縁から前記円筒部の内面に向けて突出し、前記内面に係止される複数の係止片と、を備えてなることを特徴とする。
【００１０】
この魚釣用スピニングリールによれば、円筒部の内面に抜け止め部材を挿入し、複数の係止片を円筒部の内面に係止することで、円筒部内に抜け止め部材を装着することができる。
【００１１】
また、本発明は、「前記円筒部は、前記ドラグ調節体が配置される大径円筒部と、前記制動部材が収容され前記大径円筒部より小径の小径円筒部と、前記大径円筒部と前記小径円筒部との間に設けられる段差部と、を備え、前記環状部は、前記小径円筒部より小径とされた内径を有しており、前記抜け止め部材は、前記大径円筒部を通じて押し込まれ、前記段差部に前記環状部が当接された状態で前記内面に前記複数の係止片が係止される」ことを特徴とする。
【００１２】
この魚釣用スピニングリールによれば、大径円筒部に抜け止め部材を押し込み、これを、大径円筒部と小径円筒部との間に設けられる段差部に当接させると、円筒部の内面に複数の係止片が係止され、円筒部内に抜け止め部材が装着されることとなる。円筒部内に抜け止め部材が装着された状態で、抜け止め部材の環状部の内周縁部が、小径円筒部の内面よりも内側に位置する状態となる。
【００１３】
また、本発明は、「前記大径円筒部の内面は、開口側ほど拡径するテーパ面とされており、前記複数の係止片は、前記環状部に対して前記大径円筒部の開口側に傾斜している」ことを特徴とする。
【００１４】
この魚釣用スピニングリールによれば、大径円筒部のテーパ面により、円筒部の大径円筒部に抜け止め部材を容易に押し込むことができる。また、係止片の傾斜により、段差部に向けて抜け止め部材を押し込む際に、大径円筒部の内面に複数の係止片が引っ掛かり難い。しかも、抜け止め部材が段差部に当接した後は、複数の係止片が大径円筒部の内面にくさび状に係止される状態となる。
【００１５】
また、本発明は、「前記段差部に前記環状部が当接された状態で、前記環状部と前記小径円筒部に収容された前記制動部材との間には、隙間が形成されている」ことを特徴とする。
【００１６】
この魚釣用スピニングリールによれば、抜け止め部材の装着による荷重が制動部材に影響するのを防止することができる。
【発明の効果】
【００１７】
本発明によれば、円筒部の内側に抜け止め部材を挿入し、複数の係止片を円筒部の内面に係止することで、円筒部内に抜け止め部材を装着することができるので、抜け止め部材の装着が簡単である。
また、抜け止め部材は無端状かつ板状の環状部を備えているので、環状部で周方向に切れ目なく制動部材を保持することができる。したがって、制動部材の安定した保持が実現される。
【００１８】
また、抜け止め部材の装着時には、段差部に抜け止め部材の環状部が当接するように大径円筒部に抜け止め部材を押し込むだけでよいので、抜け止め部材の装着固定が簡単である。
また、円筒部内に抜け止め部材が装着された状態で、抜け止め部材の環状部の内周縁部が、小径円筒部の内面よりも内側に位置する状態となるので、内周縁部にて制動部材を確実に保持することができる。
【００１９】
また、大径円筒部のテーパ面と係止片の傾斜との相乗効果により、円筒部の大径円筒部に抜け止め部材を容易に押し込むことができ、装着作業が行い易い。しかも、抜け止め部材が段差部に当接した後は、複数の係止片が大径円筒部の内面にくさび状に係止される状態となるので、抜け止め部材の脱落を好適に防止することができ、長期的に安定した制動部材の保持を実現することができる。
【００２０】
また、環状部と小径円筒部に収容された制動部材との間には、隙間が形成されており、抜け止め部材の装着による荷重が制動部材に影響するのを防止することができるので、ドラグ調節体の締め付け力により所望のドラグ力を得ることができる。したがって、魚釣操作性に優れる。
【図面の簡単な説明】
【００２１】
【図１】本発明の第１実施形態に係る魚釣用スピニングリールの側面図である。
【図２】スプール内部の構成を示す拡大断面図である。
【図３】（ａ）は抜け止め部材の正面図、（ｂ）は同じく側面図である。
【図４】抜け止め部材周りの構成を示す拡大断面図である。
【図５】本発明の第２実施形態に係る魚釣用スピニングリールのスプール内部の構成を示す拡大断面図である。
【図６】抜け止め部材周りの構成を示す拡大断面図である。
【発明を実施するための形態】
【００２２】
以下、本発明に係る魚釣用スピニングリールの実施形態について図面を参照して説明する。各実施形態において、同一の部分には同一の符号を付し、重複する説明は省略する。なお、以下の説明において、「前後」「上下」を言うときは、図１に示した方向を基準とする。
【００２３】
（第１実施形態）
図１に示すように、主として、魚釣用スピニングリールは、図示しない釣竿に装着するための脚部１Ａが形成されたリール本体１（例えば、金属から形成される）と、リール本体１の前方に回転可能に 設けられたロータ２と、このロータ２の回転運動と同期して前後方向移動可能に設けられたスプール３とを有して構成される。
【００２４】
リール本体１には、図示しない軸受を介してハンドル軸４が回転可能に支持されており、その図示しない突出端部には、巻き取り操作されるハンドル５が取り付けられている。ハンドル軸４には、図示しない軸筒が、回り止めされて固定されている。この軸筒には、ロータ２を巻き取り駆動するための内歯が形成されたドライブギャ６が一体的に形成されている。このドライブギャ６は、ハンドル軸４と直交する方向に延出するとともに内部に軸方向に延出する空洞部を有する駆動軸筒８のピニオンギャ８ａに噛合している。
【００２５】
駆動軸筒８は、軸受を介して回転可能に支持されており、その空洞部には、ハンドル軸４と直交する方向に延出し、先端側にスプール３が取り付けられるスプール軸９が、軸方向に移動可能に挿通され、支持されている。
【００２６】
スプール軸９の後端部には、スプール軸９を前後動させるためのスプール往復動装置が設けられている。スプール往復動装置は、少なくとも、ドライブギャ６の歯車６ａに噛合する連動歯車６ｂに設けられた偏芯突部７ａと、スプール軸９の後端部に取り付けられた摺動子７と、この摺動子７に設けられ、偏芯突部７ａと係合する案内溝７ｂと、摺動子７と係合して摺動子７の往復動を案内する図示しないガイドと、を含んで構成されている。
【００２７】
駆動軸筒８はスプール３側に向けて延出しており、その前端部において、ナット２ａを介してロータ２が取り付けられている。また、駆動軸筒８には、その中間部分に転がり式の図示しない一方向クラッチが取り付けられており、リール本体１の外部に取り付けられた切換部材１ｃを回動操作することで、一方向クラッチを作動状態と非作動状態とに切り換えるように構成されている。この場合、切換部材１ｃを作動状態に切り換えることで、ハンドル５（ロータ２）の逆転方向の回転（釣糸放出方向の回転）が防止されるようになっている。
【００２８】
ロータ２は、スプール３のスカート部３ａ内に位置する円筒部２ｂと、一対のアーム部２ｃ，２ｄを具備している。各アーム部２ｃ，２ｄの前端部には、ベール支持部材２ｅ，２ｆが釣糸巻取位置と釣糸放出位置との間で回動自在に支持されており、これらのベール支持部材２ｅ，２ｆ間には、放出状態にある釣糸をピックアップするベール２ｇが配設されている。ベール２ｇは、一方の基端部がベール支持部材２ｅに一体的に設けられた図示しない釣糸案内部に取り付けられており、他方の基端部がベール支持部材２ｆに取り付けられている。
【００２９】
スプール３は、スカート部３ａと前側フランジ３ｂとの間に図示しない釣糸が巻回される釣糸巻回胴部３ｃを備えている。スプール３は、スプール軸９にドラグ機構をなす制動部材１０を介して摩擦結合され、スプール軸９の先端部に螺合により取り付けられるドラグ機構をなすドラグ調節体２０を回動操作することで、スプール３のドラグ力が調節される。
【００３０】
図２に示すように、ドラグ機構は、スプール３に巻回された釣糸が繰り出された際にスプール３に対して所望の制動力を与えるものであり、制動部材１０と、ドラグ調節体２０とを備えて構成されている。
スプール３内には、制動部材１０とドラグ調節体２０とが収容される円筒部３５が形成されている。円筒部３５は、開口部３０に連続する２つの大径円筒部３１Ａ，３１Ｂと、大径円筒部３１Ｂに連続し、大径円筒部３１Ｂより小径の小径円筒部３２と、を備えて構成されている。
大径円筒部３１Ａの内径は、大径円筒部３１Ｂよりも大径とされており、開口部３０に近い側が湾曲拡径された周壁３５ａを備えている。大径円筒部３１Ａには、図１に示すように、ドラグ調節体２０の調節操作部２２の後部円筒部２２ａが収容される。
【００３１】
大径円筒部３１Ｂは、大径円筒部３１Ａの後部に連続して形成されており、後部から前部に向けて緩やかに拡径するテーパ状の内面３１ａを有している。つまり、大径円筒部３１Ｂは、大径円筒部３１Ａから小径円筒部３２に向けて内面３１ａが緩やかに窄まる形状とされている。大径円筒部３１Ｂと小径円筒部３２との間には、段差部３４が設けられている。
段差部３４は、スプール３の軸心に直交する円環状の段差面３４ａを有している。段差面３４ａには、抜け止め部材としての止め輪１５が当接されるようになっている。止め輪１５の詳細は後記する。
【００３２】
小径円筒部３２は、段差部３４に連続して形成されており、内側に制動部材１０を収容している。制動部材１０は、スプール軸９（図１参照）に対して軸方向に移動可能で回り止め嵌合された制動板１１と、制動板１１の後側に配置されたライニング材１２とを備えて構成されている。
これらの部材からなる制動部材１０は、図１に示すドラグ調節体２０が締め付けられた際に、ドラグスプリング２３の付勢力によってスプール側部材２４により押圧され、スプール３の前端面３２ｂとの間に圧接される。これによって、制動部材１０は、スプール３に対して所望のドラグ力を生じさせる。
なお、ドラグ調節体２０は、スプール３の回転を制動するドラグ力の強弱の調節を行うものであるとともに、スプール軸９に螺合された状態でスプール３の抜け止めを果たす役割をなす。
【００３３】
止め輪１５は、図２に示すように、大径円筒部３１Ｂの内面３１ａに係止され、制動部材１０を抜け止め保持する役割をなす。止め輪１５は、図３（ａ）（ｂ）に示すように、環状部１６と、複数の係止片１７とを備えて構成されている。
環状部１６は、無端状かつ板状とされている。環状部１６は、小径円筒部３２の内径（図２参照）より小径とされた内径を有しており、図４に示すように、大径円筒部３１Ｂに装着された状態で、内周縁部１６ａが小径円筒部３２の内面３２ａより内側に位置するようになっている。また、環状部１６の外周縁部１６ｂおよび外周縁部１６ｂの近傍部分は、段差面３４ａの内側周縁部３４ｂに対峙するように設けられている。これにより、止め輪１５は、外周縁部１６ｂおよび外周縁部１６ｂの近傍部分を内側周縁部３４ｂに当接させて、大径円筒部３１Ｂに装着されるようになっている。
【００３４】
係止片１７は、図３（ａ）に示すように、環状部１６の外周縁部１６ｂから径方向外側に延出しており、正面視で矩形状とされている。本実施形態では、環状部１６の周方向に等間隔で係止片１７が計６個形成されている。係止片１７は、図３（ｂ）に示すように、環状部１６に対して大径円筒部３１Ｂの開口側（正面側）に傾斜しており（折曲形成されており）、傾斜した状態のままその先端部１７ａが、図４に示すように、大径円筒部３１Ｂの内面３１ａに係止されるようになっている。
【００３５】
ここで、係止片１７の数は、大径円筒部３１Ｂ内において安定した状態に支持する（装着する）という観点から、３〜８個が好ましく、６個がより好ましい。なお、係止片１７の数が８個よりも多くなると、環状部１６に対して適正な傾斜をもたせることが難しくなるため好ましくない。
【００３６】
また、係止片１７の突出量Ｌ１は、係止片１７の曲げ易さと、大径円筒部３１Ｂの内面３１ａに対する係止し易さを両立するという観点から、１．５〜２．０ｍｍとすることが好ましい。１．５ｍｍより突出量が小さいと曲げ難くなり、また、２．０ｍｍより突出量が大きいと、大径円筒部３１Ｂの内面３１ａに対する係止し易さが損なわれるおそれがあり、組付性、保持性が低下するおそれがあるため好ましくない。
【００３７】
さらに、係止片１７の幅Ｗ１は、同様に、係止片１７の曲げ易さと、大径円筒部３１Ｂの内面３１ａに対する係止し易さを両立するという観点から、１．５〜２．０ｍｍとすることが好ましい。
また、止め輪１５の材質は、防塵性、対環境性を考慮してステンレスを用いることが好ましい。
【００３８】
また、図３（ｂ）に示すように、係止片１７の厚さｔ１は、係止片１７の曲げ易さと強度とを考慮して、０．３〜０．５ｍｍとすることが好ましく、０．４ｍｍとすることがより好ましい。
さらに、図３（ｂ）に示すように、係止片１７を含めた止め輪１５の最大厚さｔ２は、止め輪１５の装着し易さと抜け難さを両立するという観点から、０．８〜１．０ｍｍが好ましい。つまり、係止片１７のより好ましい厚さｔ１の約２倍の厚さとするのがよい。
【００３９】
また、図４に示すように、小径円筒部３２の内面３２ａから環状部１６の内周縁部１６ａまでの長さＸと、環状部１６と制動板１１との隙間Ｙとの関係は、制動板１１の脱落を確実に防止するという観点から、Ｘ＞Ｙとすることが好ましく、Ｘ（１．５ｍｍ）＞Ｙ（１．０ｍｍ）とすることがより好ましい。
なお、長さＸは僅かな寸法であり、止め輪１５は、内周縁部１６ａの内側に、ドラグ調節体２０のスプール側部材２４を挿入するための広い空間を形成している。
【００４０】
このような止め輪１５は、開口部３０よりスプール３内に挿入し、大径円筒部３１Ｂの内面３１ａに沿わせて、段差部３４に環状部１６が当接する位置まで押し込むことにより組み付けることができる。
【００４１】
以上説明した本実施形態の魚釣用スピニングリールによれば、円筒部３５の内側に止め輪１５を挿入し、複数の係止片１７を大径円筒部３１Ｂの内面３１ａに係止することで、大径円筒部３１Ｂ内に止め輪１５を装着することができるので、止め輪１５の装着固定が簡単である。
また、止め輪１５は無端状かつ板状の環状部１６を備えているので、環状部１６で周方向に切れ目なく制動部材１０を保持することができる。したがって、制動部材１０の安定した保持が実現される。
【００４２】
また、止め輪１５の装着時には、段差部３４に止め輪１５の環状部１６が当接するように大径円筒部３１Ｂに止め輪１５を押し込むだけでよいので、止め輪１５の装着固定が簡単である。
また、大径円筒部３１Ｂ内に止め輪１５が装着された状態で、止め輪１５の環状部１６の内周縁部１６ａが、小径円筒部３２の内面３２ａよりも内側に位置する状態となるので、環状部１６にて制動部材１０を確実に保持することができる。
【００４３】
また、大径円筒部３１Ｂのテーパ状の内面３１ａと係止片１７の傾斜との相乗効果により、円筒部３５の大径円筒部３１Ｂに止め輪１５を容易に押し込むことができ、装着作業が行い易い。しかも、止め輪１５が段差部３４の段差面３４ａに当接した後は、複数の係止片１７が大径円筒部３１Ｂの内面３１ａにくさび状に係止される状態となるので、止め輪１５の脱落を好適に防止することができ、長期的に安定した制動部材１０の保持を実現することができる。
【００４４】
また、環状部１６と小径円筒部３２に収容された制動部材１０との間には、隙間Ｙが形成されており、止め輪１５を通じて制動部材１０に荷重が作用するのを阻止することができるので、ドラグ調節体２０の締め付け力により所望のドラグ力を得ることができる。したがって、魚釣操作性に優れる魚釣用スピニングリールが得られる。
【００４５】
（第２実施形態）
図５，図６を参照して第２実施形態の魚釣用スピニングリールについて説明する。
本実施形態は、複数の制動板１１およびライニング材１２を有する制動部材１０を止め輪１５で保持したものである。
制動部材１０は、図５に示すように、スプール軸９に対して軸方向に移動可能で回り止め嵌合された２枚の制動板１１ａ，１１ｃと、小径円筒部３２の内面３２ａに設けられた溝部３２ｃに係止される突部を備えてスプール３とともに回転される１枚の制動板１１ｂと、制動板１１ａ，１１ｂ間、制動板１１ｂ，１１ｃ間、制動板１１ｃの側方に、それぞれ配置された３枚のライニング材１２とを備えて構成されている。
【００４６】
これらの部材からなる制動部材１０は、図１に示すドラグ調節体２０が締め付けられた際に、ドラグスプリング２３の付勢力によってスプール側部材２４により押圧され、スプール３の前端面３２ｂとの間に圧接される。これによって、制動部材１０は、スプール３に対して所望のドラグ力を生じさせる。
【００４７】
本実施形態の魚釣用スピニングリールにおいても第１実施形態と同様の作用効果が得られる。すなわち、円筒部３５の内側に止め輪１５を挿入し、複数の係止片１７を大径円筒部３１Ｂの内面３１ａに係止することで、大径円筒部３１Ｂ内に止め輪１５を装着することができるので、止め輪１５の装着固定が簡単である。
また、止め輪１５は無端状かつ板状の環状部１６を備えているので、環状部１６で周方向に切れ目なく制動部材１０を保持することができる。したがって、複数の制動板１１ａ〜１１ｃ、複数のライニング材１２を有する制動部材１０においても安定した保持が実現される。
【００４８】
また、止め輪１５の装着時には、大径円筒部３１Ｂに止め輪１５を押し込み、これを段差部３４に当接させるだけでよいので、止め輪１５の装着固定が簡単である。
また、図６に示すように、大径円筒部３１Ｂ内に止め輪１５が装着された状態で、止め輪１５の環状部１６の内周縁部１６ａが、小径円筒部３２の内面３２ａよりも内側に位置する状態となるので、環状部１６にて制動部材１０を確実に保持することができる。
【００４９】
前記した実施形態では、止め輪（環状部）１５が丸形（円環）のものを示したが、これに限られることはなく、五角形や六角形等、多角形状のものや角形状のものも採用することができる。
【符号の説明】
【００５０】
１      リール本体
３      スプール
９      スプール軸
１０    制動部材
１６    環状部
１７    係止片
２０    ドラグ調節体
３５    円筒部
【図１】
2014198022.tif 000003
【図２】
2014198022.tif 000004
【図３】
2014198022.tif 000005
【図４】
2014198022.tif 000006
【図５】
2014198022.tif 000007
【図６】
2014198022.tif 000008